(57)【要約】　　　（修正有）【課題】シートの上昇と下降の操作方式により、座ったり立ち上がる動作を楽に行なえる。【解決手段】椅子本体１０、二片式シート板２０、シート板固定座３０、伸縮管機構４０で構成されている。シート板固定座３０は前縁の固定フレーム３１、及び二つのシート板２０を固定するためのサポートフレーム３２を具えている。固定フレーム３１は椅子本体１０に固定され、サポートフレームは前後の二つの部分を枢接してなり、この二つの部分が枢接点で折り曲げ可能とされる。サポートフレーム３２の二つの部分はそれぞれ対応するシート板２０の固定に供される。伸縮管機構４０はサポートフレームの後ろの部分を押動し、サポートフレーム３２、伸縮管機構４０を持ち上げて前方に移動させ、その上に座った人を楽に立ち上がらせる。【選択図】　　図３
0003098430.tif 000002
【実用新案登録請求の範囲】
【請求項１】
椅子本体、二片式のシート板、シート板固定座、伸縮管機構で組成され、該シート板固定座が固定フレームと、該シート板の前板と後板の固定に供されるサポートフレームを具え、該サポートフレームの前縁が該固定フレームに枢接され、サポートフレームがその枢接点を中心として回転可能で、該サポートフレームが前の部分と後ろの部分が枢接されてなり、この前の部分と後ろの部分が枢接点を中心として折り曲げ可能とされ、該サポートフレームの前の部分と後ろの部分にシート板の前板と後板が固定され、該伸縮管機構のベース及び伸縮管の外端がそれぞれサポートフレームの後ろの部分、椅子本体の下方に枢接された、椅子のシート昇降装置において、
該固定フレームが椅子本体に固定され、該固定フレームに左右対称に二つの水平ロッドが設けられ、左右対称に設置された二つの連接棒の両端がそれぞれサポートフレームの後ろの部分と水平ロッドに枢接され、且つサポートフレームの前縁と固定フレームの枢接点、サポートフレームの前の部分と後ろの部分の枢接点、水平ロッドの両端の枢接点が平行四辺形の四つの頂点を組成し、伸縮管機構が該サポートフレームの後ろの部分を押動し、サポートフレームの後ろの部分に水平状の上昇を形成させることを特徴とする、椅子のシート昇降装置。
【考案の詳細な説明】
【０００１】
【考案の属する技術分野】
本考案は一種の椅子のシート昇降装置に係り、特に、病人、老人が座ったり立ち上がったりする過程で支持力を提供して動作を楽に行なわせる、椅子のシート昇降装置に関する。
【０００２】
【従来の技術】
老人の腿部が無力となり行動能力が下がる時、座る動作は力を必要とするようになり、看護人が扶助しなければならなくなる場合もある。老人が座った状態から立ち上がる時は、さらに力が必要である。また、腿部に怪我を負った病人は行動に不便が生じ、看護人が手助けしなければ座ったり立ったりする動作を行なえないことがある。
【０００３】
現在、老人、病人のために椅子に置いて使用できる昇降式のシートが市販されており、このような商品を使用すると、椅子のシートの高さが高くなり、座った時の感覚が高くなって、あまり快適でない。このような商品はエアポンプでシートを高くする動力を提供し、即ち、使用者が立ち上がる時には尚も腿部の支持力を必要とするため、使用上、力が必要である。また、このような商品は、シートを持ち上げて傾斜状とするため、安定してシートの上に座ることができず、椅子の外に押し出される傾向があり、使用上、不便である。
【０００４】
【考案が解決しようとする課題】
本考案は一種の椅子のシート昇降装置を提供し、それは、電動方式で椅子のシートを持ち上げる動作を行ない、且つ使用者が安定して座った状態で持ち上げることができ、並びに椅子の外に向けて移動させる。即ち、使用者が立ち上がるのも、座るのもシートの上昇、下降操作により楽に行なえる。
【０００５】
本考案は一種の椅子のシート昇降装置を提供し、それは、椅子本体、二片式シート板、シート板固定座、伸縮管機構で組成されている。該シート板固定座は前縁の固定フレーム、及び二つのシート板を固定するためのサポートフレームを具えている。該固定フレームは椅子本体に固定され、該サポートフレームは前後の二つの部分を枢接してなり、この二つの部分が枢接点で折り曲げ可能とされる。該サポートフレームの二つの部分はそれぞれ対応するシート板の固定に供される。該伸縮管機構は該サポートフレームの後ろの部分を押動し、サポートフレーム、伸縮管機構を持ち上げて前方に移動させ、その上に座った人を楽に立ち上がらせる。
【０００６】
本考案は一種の椅子のシート昇降装置を提供し、それは、上記サポートフレームの後ろの部分がその上昇、下降の過程中に、いずれも水平状を保持し、その上に座った人を安定した状態に保持する。
【０００７】
【課題を解決するための手段】
請求項１の考案は、椅子本体、二片式のシート板、シート板固定座、伸縮管機構で組成され、該シート板固定座が固定フレームと、該シート板の前板と後板の固定に供されるサポートフレームを具え、該サポートフレームの前縁が該固定フレームに枢接され、サポートフレームがその枢接点を中心として回転可能で、該サポートフレームが前の部分と後ろの部分が枢接されてなり、この前の部分と後ろの部分が枢接点を中心として折り曲げ可能とされ、該サポートフレームの前の部分と後ろの部分にシート板の前板と後板が固定され、該伸縮管機構のベース及び伸縮管の外端がそれぞれサポートフレームの後ろの部分、椅子本体の下方に枢接された、椅子のシート昇降装置において、
該固定フレームが椅子本体に固定され、該固定フレームに左右対称に二つの水平ロッドが設けられ、左右対称に設置された二つの連接棒の両端がそれぞれサポートフレームの後ろの部分と水平ロッドに枢接され、且つサポートフレームの前縁と固定フレームの枢接点、サポートフレームの前の部分と後ろの部分の枢接点、水平ロッドの両端の枢接点が平行四辺形の四つの頂点を組成し、伸縮管機構が該サポートフレームの後ろの部分を押動し、サポートフレームの後ろの部分に水平状の上昇を形成させることを特徴とする、椅子のシート昇降装置としている。
【０００８】
【考案の実施の形態】
本考案の提供する椅子のシート昇降装置は、図１、２に示されるように、椅子本体１０、二片式のシート板２０、シート板固定座３０、伸縮管機構４０で構成されている。該シート板固定座３０は固定フレーム３１と、該シート板２０の固定に供されるサポートフレーム３２を具えている。該固定フレーム３１は椅子本体１０に固定され、その上に左右対称に配置された二つの水平ロッド３３が固定され、該サポートフレーム３２の前縁が該固定フレーム３１に枢接され、該サポートフレーム３２がその枢接点５１を中心として回転可能とされる。該サポートフレーム３２は前の部分３２１と後ろの部分３２２が枢接されてなり、この前の部分３２１と後ろの部分３２２が枢接点５２を中心として折り曲げ可能とされる。該サポートフレーム３２の前の部分３２１と後ろの部分３２２はそれぞれシート板２０の前板２１、後板２２に固定される。また、連接棒３４の両端がサポートフレーム３２の後ろの部分３２２と水平ロッド３３に枢接され、且つ該サポートフレーム３２の前縁が固定フレーム３１の枢接点５１、該サポートフレーム３２の前の部分３２１と後ろの部分３２２の枢接点５２、該水平ロッド３４の両端の枢接点５３、５４が平行四辺形の四つの頂点を形成する。該伸縮管機構４０のベース４１及び伸縮管４２の外端は、それぞれサポートフレーム３２の後ろの部分３２２、椅子本体１０の下方の横棒１１と枢接されている。該伸縮管機構４０が該サポートフレーム３２の後ろの部分３２２を押動し、サポートフレーム３２、シート板２０を持ち上げて前方に移動させることにより、その上に座った人が楽に立ち上がることができる。
【０００９】
伸縮管機構４０の伸縮管４２が伸長する時、該サポートフレーム３２は押し上げられ、図３に示されるようである。前述の四つの枢接点５１、５２、５３、５４は平行四辺形の頂点を形成し、即ち該サポートフレーム３２の後ろの部分３２２と該水平ロッド３３が永遠に相互に平行状とされる。ゆえに該サポートフレーム３２の後ろの部分３２２は永遠に水平状とされ、これにより老人が安定してその上に座ることができる。該サポートフレーム３２の前の部分３２１は前端の枢接点５１を中心として回転可能で、即ち、上昇の過程で、該サポートフレーム３２の後ろの部分３２２が徐々に前方に移動する作用を有し、老人が椅子より立ち上がるのに便利である。
【００１０】
実際に使用する時、該椅子本体１０の背もたれ１２部分に背もたれクッション１３が固定され、該シート板２０にはクッション１４が固定され、図５に示されるようであり、該クッション１４のシート板２０の前板２１、後板２２の連接部分に対応する部分には折り曲げ可能な機能がある。老人がクッション１４の上に座る時、まず、サポートフレーム３２を適当な高さに上昇させ、老人の臀部を先にクッション１４に靠れさせて軽く腰掛けさせる。さらに該伸縮管機構４０の伸縮管４２を内縮動作させ、徐々にサポートフレーム３２とクッション１４を下降させ、老人を楽に座らせる。該伸縮管機構４０は周知の機構であり、それは電力でモータを駆動する方式で伸縮管４２を伸縮させる。該伸縮管機構４０の伸縮管４２が内縮する時、重量を伸縮管機構４０に加えなければサポートフレーム３２が下降せず、これにより使用上の安全性が高められている。このような従動内縮式の伸縮管機構４０もまた周知の技術である。伸縮管機構４０の伸縮管４２が内縮する時、この伸縮管機構４０のサポートフレーム３２に対するサポート長さは徐々に減少し、並びに人体と機構体（即ちサポートフレーム３２、ベース４１）の重量によりサポートフレーム３２が押し下げられ、最終的に全体のサポートフレーム３２が平坦状とされ、これは図４に示されるとおりである。設計上、伸縮管４２が内縮操作される時、該サポートフレーム３２とベース４１の重量はサポートフレーム３２を下降させるのに十分である。
【００１１】
上述の連接棒３４は左右対称に二本が設置されるのが好ましく、これにより安定した運動軌跡を獲得することができる。
【００１２】
【考案の効果】
総合すると、本考案の提供する椅子のシート昇降装置は、簡単な連接棒装置により椅子のシートを上昇させる過程で、水平なシートを提供し、老人が上昇過程中に安定した姿勢を維持でき、楽に立ち上がる動作を行なえる。また、シートが上昇すると同時に、老人を椅子の前方に移動させ、これにより立ち上がるのにさらに便利である。ゆえに本考案は老人の使用に非常に適した電動式の立ち上がり補助椅子である。
【図面の簡単な説明】
【図１】本考案の斜視図である。
【図２】本考案のシート板固定座の構造図である。
【図３】本考案のシート上昇状態の断面図である。
【図４】本考案のシートが最低位置に下降した状態の断面図である。
【図５】図１の椅子に背もたれクッション、クッションを取り付けた斜視図である。
【符号の説明】
１０　椅子本体　　　　　　１１　横棒
１２　背もたれ　　　　　　１３　背もたれクッション
１４　クッション
２０　シート板　　　　　　２１　前板
２２　後板　　　　　　　　３０　シート板固定座
３１　固定フレーム　　　　３２　サポートフレーム
３２１　前の部分　　　　　３２２　後ろの部分
３３　連接棒　　　　　　　４０　伸縮管機構
４１　ベース　　　　　　　４２　伸縮管
【図１】
0003098430.tif 000003
【図２】
0003098430.tif 000004
【図３】
0003098430.tif 000005
【図４】
0003098430.tif 000006
【図５】
0003098430.tif 000007